(57)【要約】【課題】配管の加工または切除を必要とすることなく、管端部用キャップの繰り返しの使用が可能で、配管の端部の差し口および受け口の両方に繰り返し装着できる管端部キャップおよび管端部キャップセットを提供することである。【解決手段】管端部用キャップ１００は、第１筒部２００および第２筒部３００からなる。第１筒部２００は、一端が閉塞されるとともに外周面２０１を有する。第１筒部２００は、ポリエチレン管５０２の受け口部に挿入して装着される。第２筒部３００は、第１筒部２００の他端側に連続して形成される。第２筒部３００は、内周面３１０を有する。第２筒部３００は、ポリエチレン管５０１の差し口部を覆って装着される。【選択図】図２
2014016015.tif 000002
【特許請求の範囲】
【請求項１】
受け口部または差し口部を端部に有する配管の該端部を封止する管端部用キャップであって、
一端が閉塞されるとともに第１の外周面を有し、前記配管の受け口部に挿入して装着する第１円筒部と、
前記第１円筒部の他端側に連続して形成され、第２の内周面を有し、前記配管の差し口部を覆って装着する第２円筒部と、を含むことを特徴とする管端部用キャップ。
【請求項２】
前記第１円筒部は、
前記第１の外周面の内部に前記第１円筒部の外径を拡大させる拡大部材を収容するための第３の形状を有することを特徴とする請求項１記載の管端部用キャップ。
【請求項３】
前記第１の外周面は、前記一端側から前記他端側に沿って拡径するテーパ形状を有することを特徴とする請求項１または２に記載の管端部用キャップ。
【請求項４】
前記第２の内周面は、前記他端側から前記一端側に沿って縮径するテーパ形状を有することを特徴とする請求項１から３のいずれか１項に記載の管端部用キャップ。
【請求項５】
前記第１円筒部および前記第２円筒部は、弾性ゴムからなることを特徴とする請求項１から４のいずれか１項に記載の管端部用キャップ。
【請求項６】
受け口部または差し口部を端部に有する配管の該端部を封止する管端部用キャップセットであって、
一端が閉塞されるとともに第１の外周面を有し、前記配管の受け口部に挿入して装着する第１円筒部と、
前記第１円筒部の他端側に連続して形成され、第２の内周面を有し、前記配管の差し口部を覆って装着する第２円筒部と、
弾性を有し、前記第１円筒部の外径を拡大させる拡大部材と、を含み、
前記第１円筒部は、
前記第１の外周面の内部に前記拡大部材を収容するための第３の形状を有することを特徴とする管端部用キャップセット。
【請求項７】
前記第１円筒部および前記第２円筒部は、弾性ゴムからなり、
前記拡大部材は、樹脂または金属からなることを特徴とする請求項６記載の管端部用キャップセット。
【発明の詳細な説明】
【技術分野】
【０００１】
本発明は、施工中の管内に水または土砂などが入らないように、管の端部を閉塞するための管端部用キャップおよび管端部用キャップセットに関する。
【背景技術】
【０００２】
一般に、下水管または埋設管などを地中に埋設施工する場合、配管する長さ程度の土を掘削して溝を形成して、当該溝内に管を据え付け、接続して土を埋め戻す工法が採用される。しかし、場合によっては、管の接続を途中で中止し、土を埋め戻すことがある。そのため、次の作業を行うまで管端部を長時間放置した場合、地下水または雨水などが管内に浸入するおそれがある。管端部から水が浸入すると、除去が困難である。したがって、施工中の管端部からの水または土砂の浸入を防止する必要がある。
【０００３】
そのため、管端部キャップについて種々の研究開発が行われている。例えば、特許文献１には、閉塞した分岐部の長さを短くして他の管工事による破損を受けることがなく、また、管端部との接合強度にすぐれた管端キャップについて開示されている。
【０００４】
特許文献１記載の管端キャップは、配管の端部を閉塞するための管端キャップであって、内周面近傍に発熱線が埋設されて管端部の外周面と熱融着により接合される受口と、外周面近傍に発熱線が埋設されて管内面と熱融着により接合されるコアとを有するものである。
【０００５】
特許文献２には、配管の末端等に容易に接合することができるとともに、パージ操作終了後の開口の閉塞も容易に行うことができる管端キャップについて開示されている。
【０００６】
特許文献２記載の管端キャップについては、管体の一方に樹脂管を挿入する受口を、他方に開口閉塞用の蓋体を螺合するネジ部を設けるとともに、受口の内周に、樹脂を溶融させて樹脂管と受口とを融着接合するための発熱線を埋設したものである。
【先行技術文献】
【特許文献】
【０００７】
【特許文献１】特開平１１−２１０９７８号公報
【特許文献２】特開２０００−００９２８４号公報
【発明の概要】
【発明が解決しようとする課題】
【０００８】
一般に、水道水配管などに用いられるポリエチレン製の管は、長さ４ｍ程度から１０ｍ程度までの長さからなる。そのため、特許文献１または２に示すように、ポリエチレン製の管同士を電熱線による熱融着工法によって接続することが多用されている。
【０００９】
上記の熱融着工法においては、接続の信頼性が高く、水または土砂の浸入を確実に防止できるというメリットがある一方、熱融着工法後、管の加工または切除が必要であり、キャップの繰り返しの使用ができないというデメリットも併有する。
【００１０】
また、管の端部を封止する方式として、メカニカルジョイント式のキャップが知られている。しかしながら、メカニカルジョイント式のキャップでは、ボルトを締結する必要があるが、管への加工または切除が不要であり、繰り返し使用することができるというメリットがある。しかしながら、管の端部は、差し口の場合と受け口の場合とがあり、メカニカルジョイント式では、差し口の場合には、対応できるものの、内面から封をすることができないため受け口には、対応できないという問題がある。また、ボルトの締結および弛緩の作業が手間となるとともに、メカニカルジョイント式のキャップ自身に重量があるため、作業性に劣るという問題もある。
【００１１】
そこで、本発明の目的は、配管の加工または切除を必要とすることなく、管端部用キャップの繰り返しの使用が可能で、配管の端部の差し口および受け口の両方に繰り返し装着できる管端部キャップおよび管端部用キャップセットを提供することである。
【課題を解決するための手段】
【００１２】
（１）
この発明のある局面に従う管端部用キャップは、受け口部または差し口部を端部に有する配管の該端部を封止する管端部用キャップであって、一端が閉塞されるとともに第１の外周面を有し、配管の受け口部に挿入して装着する第１円筒部と、第１円筒部の他端側に連続して形成され、第２の内周面を有し、配管の差し口部を覆って装着する第２円筒部と、を含むものである。
【００１３】
管端部用キャップは、第１円筒部および第２円筒部からなる。第１円筒部は、一端が閉塞されるとともに第１の外周面を有する。第１円筒部は、配管の受け口部に挿入して装着される。
第２円筒部は、第１円筒部の他端側に連続して形成される。第２円筒部は、第２の内周面を有する。第２円筒部は、配管の差し口部を覆って装着される。
【００１４】
この場合、配管の加工または切除を必要とすることなく、配管の端部の差し口および受け口の両方に繰り返し装着できる。なお、当該配管は、ポリエチレン管であることが好ましい。
【００１５】
（２）
この発明に係る管端部用キャップは、上記の発明にかかる管端部用キャップにおいて、第１円筒部は、第１の外周面の内部に第１円筒部の外径を拡大させる拡大部材を収容するための第３の形状を有してもよい。
【００１６】
この場合、第１円筒部は、第１の外周面の内部に第１円筒部の外径を拡大させる拡大部材を収容するための第３の形状を有する。その結果、第１円筒部を配管の受け口部に挿入した後に、第１円筒部内の第３の形状に拡大部材を収容することにより、第１円筒部の外径の直径を大きくし、配管の受け口部に強固に密着させることができる。
【００１７】
（３）
このある発明に係る管端部用キャップは、上記の発明にかかる管端部用キャップにおいて、第１の外周面は、一端側から他端側に沿って拡径するテーパ形状を有してもよい。
【００１８】
この場合、第１の外周面には、一端側から他端側に沿って拡径するテーパ形状が形成されているので、管端部用キャップを容易に挿入することができる。また、このテーパ形状は、第１の外周面の一部または全部に設けられていてもよい。
【００１９】
（４）
このある発明に係る管端部用キャップは、上記の発明にかかる管端部用キャップにおいて、第２の内周面は、他端側から一端側に沿って縮径するテーパ形状を有してもよい。
【００２０】
この場合、第２の内周面は、他端側から一端側に沿って縮径するテーパ形状を有するので、管端部用キャップを容易に挿入することができる。また、このテーパ形状は、第２の内周面の一部または全部に設けられていてもよい。
【００２１】
（５）
このある発明に係る管端部用キャップは、上記の発明にかかる管端部用キャップにおいて、第１円筒部および第２円筒部は、弾性ゴムからなってもよい。
【００２２】
この場合、第１円筒部および第２円筒部は、弾性ゴムからなるので、配管に内嵌または外嵌する場合、弾性力を発生させて水密性を高めることができる。
【００２３】
（６）
この発明の他の局面に従う管端部用キャップセットは、受け口部または差し口部を端部に有する配管の該端部を封止する管端部用キャップセットであって、一端が閉塞されるとともに第１の外周面を有し、配管の受け口部に挿入して装着する第１円筒部と、第１円筒部の他端側に連続して形成され、第２の内周面を有し、配管の差し口部を覆って装着する第２円筒部と、弾性を有し、第１円筒部の外径を拡大させる拡大部材と、を含み、第１円筒部は、第１の外周面の内部に拡大部材を収容するための第３の形状を有するものである。
【００２４】
この場合、拡大部材は、弾性を有するので、弾性による収縮状態で第３の形状内に容易に挿入させ、弾性力で第１円筒部の外径を大きくし、配管の受け口部に強固に密着させることができる。
【００２５】
（７）
このある発明に係る管端部用キャップセットは、上記の発明にかかる管端部用キャップセットにおいて、第１円筒部および第２円筒部は、弾性ゴムからなり、拡大部材は、樹脂または金属からなってもよい。
【００２６】
この場合、第１円筒部および第２円筒部は、弾性ゴムからなるので、配管に外嵌する場合、弾性力を発生させて水密性を高めることができる。また、拡大部材は、樹脂または金属のいずれかからなるので、内嵌する場合、弾性ゴムの外周面を大きくすることができる。
【発明の効果】
【００２７】
この発明によれば、配管の加工または切除を必要とすることなく、配管の端部の差し口および受け口の両方に繰り返し装着できる管端部キャップおよび管端部キャップセットを提供することができる。
【図面の簡単な説明】
【００２８】
【図１】本実施の形態に係るポリエチレン管用キャップを説明するための模式図である。
【図２】本実施の形態に係るポリエチレン管用キャップを説明するための模式図である。
【図３】図１および図２に示すポリエチレン管用キャップの拡大部材の一例を示す模式図である。
【図４】図１および図２に示すポリエチレン管用キャップセットの拡大部材の一例を示す模式図である。
【図５】ポリエチレン管の端部が差し口の場合のポリエチレン管用キャップの使用例を説明するための説明図である。
【図６】ポリエチレン管の端部が受け口の場合のポリエチレン管用キャップセットの使用例を説明するための説明図である。
【図７】図２に示したポリエチレン管用キャップの他の例を示す模式図である。
【図８】拡大部材の他の例を示す模式図である。
【発明を実施するための形態】
【００２９】
以下、図面を参照しつつ、本発明の実施の形態について説明する。以下の説明では、同一の部品には同一の符号を付す。また、同符号の場合には、それらの名称および機能も同一である。したがって、それらについての詳細な説明は繰り返さないものとする。
なお、本実施の形態においては、管端部キャップとして水道配水用のポリエチレン管に装着するポリエチレン管用キャップ１００について説明を行う。本実施の形態における水道配水用のポリエチレン管は、受け口部と差し口部との複数のパターンを有する。また、ポリエチレン管の受け口部は、ポリエチレン管の差し口部に電気融着継手が取り付けられた場合について説明する。
【００３０】
（ポリエチレン管用キャップの説明）
図１および図２は、本実施の形態に係るポリエチレン管用キャップ１００を説明するための模式図である。
【００３１】
図１および図２に示すポリエチレン管用キャップ１００は、円筒の第１筒部２００および円筒の第２筒部３００からなる。第２筒部３００は、第１筒部２００に連通して設けられている。
【００３２】
図１および図２に示すように、第１筒部２００の一端側は閉塞されており、第１筒部２００の外周面２０１は、直径φＤｓからなり、第１筒部２００の内周面２１０は、直径φＤｂからなり、第２筒部３００の外周面３０１は、直径φｄｐからなる。なお、本実施の形態においては、後述するポリエチレン管の受け口部は、ポリエチレン管の差し口部に電気融着継手が取り付けられた場合について説明するので、直径φＤｓと直径φｄｐとの値は、ほぼ同じである。
【００３３】
第１筒部２００は、長さＬｓからなり、第２筒部３００は、長さＬｐからなる。また、第１筒部２００および第２筒部３００の肉厚みは、１ｍｍ以上５ｍｍ以下程度であることが好ましく、３ｍｍであることがより好ましい。なお、肉厚みは、第１筒部２００および第２筒部３００において同じ肉厚みであってもよく、異なる肉厚みであってもよい。
【００３４】
また、第２筒部３００には、内周面３１０が形成されている。第２筒部３００の内周面３１０の一端側は、第１筒部２００の内周面２１０に連通し、他端側は、開口状態で形成される。
【００３５】
本実施の形態にかかるポリエチレン管用キャップ１００の素材は、弾性ゴムまたは樹脂などからなる。この場合、ポリエチレン管用キャップ１００は、弾性ゴムまたは樹脂からなるので、後述するポリエチレン管５０１（図５参照）に外嵌した際に、ポリエチレン管用キャップ１００の弾性力によりポリエチレン管５０１と水密状態にすることができる。
また、ポリエチレン管用キャップ１００は、弾性ゴムまたは樹脂からなるので、後述するポリエチレン管５０２（図６参照）に内嵌して、後述する拡大部材４００を挿入することにより、ポリエチレン管用キャップ１００の外周面が広がりポリエチレン管５０２と水密状態にすることができる。
なお、ポリエチレン管用キャップ１００の素材は、弾性ゴムまたは樹脂に限定されず、硬質塩化ビニル樹脂、高密度ポリエチレン、共重合体ゴム、軟質演歌ビニル樹脂、低密度ポリエチレン、それらに無機充填材を含有させたもの、その他任意のものを用いてもよい。
【００３６】
（管端部用キャップセットの拡大部材）
次に、ポリエチレン管用キャップ１００に拡大部材４００を付加したポリエチレン管用キャップセット１１０（図６参照）の拡大部材４００について説明を行う。図３および図４は、図１および図２に示すポリエチレン管用キャップセット１１０の拡大部材４００の一例を示す模式図である。
【００３７】
図３および図４に示す拡大部材４００は、主に弾性を有する環状部（リング部）４０１からなる。拡大部材４００は、環状部４０１およびつまみ４１０，４１１を有する。環状部４０１は、厚みＴからなる。
図３に示すように、つまみ４１０，４１１の間隔距離Ｂを小さくすることなく、弾性を生じさせない場合、環状部４０１は、直径φＤｂからなる。
【００３８】
また、図４に示すように、拡大部材４００の環状部４０１は、幅ｈからなり、幅Ｌ１の切り込み４２０，４２１が異なる位置に設けられている。
その結果、つまみ４１０，４１１の間隔距離Ｂを短くするように挟持することにより、環状部４０１の直径φＤｂを小さくすることができる。
【００３９】
本実施の形態にかかる拡大部材４００の素材は、樹脂または金属からなる。なお、拡大部材４００の素材は、樹脂または金属からなることとしたが、これに限定されず、ステンレス鋼（ＳＵＳ鋼）、樹脂にてコーティングされた炭素鋼、ポリアセタール（ＰＯＭ）、芳香族ポリエーテルケトン（ポリエーテルエーテルケトン）、ポリカーボネ−ト、その他任意の素材を用いてもよい。
【００４０】
（配管の端部の差し口または受け口に接続する状態）
図５は、ポリエチレン管５０１の端部が差し口の場合のポリエチレン管用キャップ１００の使用例を説明するための説明図であり、図６は、ポリエチレン管５０２の端部が受け口の場合のポリエチレン管用キャップセット１１０の使用例を説明するための説明図である。
ここで、図６に示す端部が受け口のポリエチレン管５０２は、ポリエチレン管５０１の差し口部に電気融着継手５１０が取り付けられた場合を示す。
【００４１】
図５に示すように、施工中のポリエチレン管５０１の端部が差し口の場合、ポリエチレン管用キャップ１００の内周面３１０にポリエチレン管５０１の差し口が矢印の方向に挿入される。
なお、ポリエチレン管用キャップ１００の外周面３０１にホースバンド等を用いてポリエチレン管５０１の差し口とともに、締結してもよい。
【００４２】
また、上述したように、図６に示すポリエチレン管５０２は、ポリエチレン管５０１の差し口部に電気融着継手５１０が取り付けられた状態である。以下、この状態をポリエチレン管５０２の端部が受け口の場合として説明する。
図６の電気融着継手５１０は、一対のターミナルピン部５２０および電熱線５２１を備える。この電気融着継手５１０は、一対のターミナルピン部５２０にコネクタを取り付けて、巻回された一本の電熱線５２１に通電させて発熱させ、管表面または継手樹脂を溶かして融着させるものである。
【００４３】
図６のポリエチレン管５０２の端部が受け口の場合、ポリエチレン管５０２の受け口にポリエチレン管用キャップ１００の外周面２０１を挿入し、ポリエチレン管用キャップ１００の内周面２１０に拡大部材４００のつまみ４１０，４１１の間隔距離Ｂを短く挟持して、環状部４０１の直径φＤｂを小さくして挿入する。
ポリエチレン管用キャップ１００の内周面２１０に拡大部材４００を挿入後、直径φＤｂが拡大し、ポリエチレン管用キャップ１００の外周面２０１が拡大し、施工中のポリエチレン管５０２の受け口の内周面に密着する。
【００４４】
以上により、ポリエチレン管用キャップ１００の第１筒部２００の一端側は閉塞されているので、差し口部および受け口部のいずれに取り付けた場合であっても、ポリエチレン管５０１、５０２内に浸水することを防止できるとともに、拡大部材４００を第２筒部３００側からポリエチレン管用キャップ１００の内周面２１０に挿入することができる。
また、ポリエチレン管用キャップ１００またはポリエチレン管用キャップセット１１０を用いることで、配管の加工または切除を必要とすることなく、ポリエチレン管５０１、５０２の端部の差し口および受け口の両方に繰り返し装着できる。
【００４５】
（他の例）
図７は、図１および図２に示したポリエチレン管用キャップ１００の他の例を示し、図８は、図３および図４に示した拡大部材４００の他の例を示す。
【００４６】
図７に示すように、ポリエチレン管用キャップ１００の他の例においては、図１および図２に示したポリエチレン管用キャップ１００と異なる点について主に説明を行う。
【００４７】
図７のポリエチレン管用キャップ１００ａの第１筒部２００の外周面２０１ａは、テーパ角θｔｂが形成されており、第１筒部２００の一端には、Ｒ形状２２０が形成されている。
【００４８】
それにより、施工中のポリエチレン管５０２の端部が受け口の場合に、ポリエチレン管５０２の受け口にポリエチレン管用キャップ１００ａのＲ形状２２０およびテーパ角θｔｂにより外周面２０１ａを挿入しやすくなる。
【００４９】
また、図７に示すように、ポリエチレン管用キャップ１００ａの第２筒部３００の外周面３０１ａは、テーパ角θｔａが形成されており、第２筒部３００の開口側には、Ｒ形状３２０が形成されている。
【００５０】
それにより、施工中のポリエチレン管５０１の端部が差し口の場合に、ポリエチレン管５０１の差し口をポリエチレン管用キャップ１００ａのＲ形状３２０およびテーパ角θｔａにより挿入しやすくなる。
【００５１】
また、図８に示すように、拡大部材４００の他の例においては、図３および図４に示した拡大部材４００と異なる点について主に説明を行う。
【００５２】
図８の拡大部材４００ａは、環状部４０１の外周にテーパ角θａが形成されている。その結果、ポリエチレン管用キャップ１００ａの内周面２１０ａに拡大部材４００ａを容易に挿入することができる。
【００５３】
＜実施例＞
以下、図１から図６に示したポリエチレン管用キャップ１００およびポリエチレン管用キャップセット１１０についての実施例について説明を行う。
【００５４】
（実施例１  ５０  Ａ呼称）
実施例１においては、図１から図４に示したポリエチレン管用キャップ１００および拡大部材４００を作成した。ポリエチレン管用キャップ１００の材質は、ＪＩＳ  Ｋ６３５３水道用ゴムに規定されるＳＢＲ  １類Ａ  デュロメータ硬さＨａ６５を使用した。拡大部材４００の材質は、オーステナイト系ステンレス（ＳＵＳ３０４）を使用した。
【００５５】
（ポリエチレン管用キャップ）
ポリエチレン管用キャップ１００の呼び径が５０（Ａ呼称）ｍｍの場合、直径φＤｓは６３．２±０．５ｍｍであり、長さＬｓは５０ｍｍであり、直径φｄｐは、６３．０±０．５ｍｍであり、長さＬｐは５０ｍｍであり、第１筒部２００および第２筒部３００の肉厚みは、３ｍｍである。
【００５６】
（拡大部材）
拡大部材の呼び径が５０（Ａ呼称）ｍｍの場合、直径φＤｂは、６５．０ｍｍであり、厚みＴは、０．２以上３ｍｍ以下であり、間隔距離Ｂは、３ｍｍ以上１５ｍｍ以下であり、幅ｈは、３ｍｍ以上５０ｍｍ以下である。
【００５７】
（実施例２  ７５  Ａ呼称）
実施例２においては、実施例１と同じ材質を使用した。以下、実施例２において実施例１と異なる点についてのみ説明する。
【００５８】
（ポリエチレン管用キャップ）
ポリエチレン管用キャップ１００の呼び径が７５（Ａ呼称）ｍｍの場合、直径φＤｓは９０．３±０．５ｍｍであり、長さＬｓは６５ｍｍであり、直径φｄｐは、９０．０±０．５ｍｍである。
【００５９】
（拡大部材）
拡大部材の呼び径７５（Ａ呼称）ｍｍの場合、直径φＤｂは、９１．５ｍｍである。
【００６０】
（実施例３  １００  Ａ呼称）
実施例３においては、実施例１、２と同じ材質を使用した。以下、実施例３において実施例１、２と異なる点についてのみ説明する。
【００６１】
（ポリエチレン管用キャップ）
ポリエチレン管用キャップ１００の呼び径が１００（Ａ呼称）ｍｍの場合、直径φＤｓは１２５．４±０．５ｍｍであり、長さＬｓは８０ｍｍであり、直径φｄｐは、１２５．０±０．５ｍｍである。
【００６２】
（拡大部材）
拡大部材の呼び径１００（Ａ呼称）ｍｍの場合、直径φＤｂは、１２７．０ｍｍである。
【００６３】
（実施例４  １５０  Ａ呼称）
実施例４においては、実施例１から３と同じ材質を使用した。以下、実施例４において実施例１から３と異なる点についてのみ説明する。
【００６４】
（ポリエチレン管用キャップ）
ポリエチレン管用キャップ１００の呼び径が１５０（Ａ呼称）ｍｍの場合、直径φＤｓは１８０．７±０．５ｍｍであり、長さＬｓは１００ｍｍであり、直径φｄｐは、１８０．０±０．５ｍｍである。
【００６５】
（拡大部材）
拡大部材の呼び径１００（Ａ呼称）ｍｍの場合、直径φＤｂは、１８２．０ｍｍである。
【００６６】
（実施例５  ２００  Ａ呼称）
実施例５においては、実施例１から４と同じ材質を使用した。以下、実施例５において実施例１から４と異なる点についてのみ説明する。
【００６７】
（ポリエチレン管用キャップ）
ポリエチレン管用キャップ１００の呼び径が２００（Ａ呼称）ｍｍの場合、直径φＤｓは２５１．１±０．５ｍｍであり、長さＬｓは１２５ｍｍであり、直径φｄｐは、２５０．０±０．５ｍｍである。
【００６８】
（拡大部材）
拡大部材の呼び径２００（Ａ呼称）ｍｍの場合、直径φＤｂは、２５３．０ｍｍである。
【００６９】
以下、実施例１から実施例５においてポリエチレン管５０１、５０２の端部に装着し、管外水圧０．０２ＭＰａで水の浸入の有無を計測した。以下、評価結果を表１に示す。
【００７０】
【表１】
2014016015.tif 000003
【００７１】
表１においては、水圧試験結果として、管外水圧０．０２ＭＰａの環境下で配管内に水の浸入がない場合には、『○』で示した。
表１に示すように、実施例１から実施例５までのいずれも管外水圧０．０２ＭＰａで水の浸入がなかった。
【００７２】
以上のように、本発明に係るポリエチレン管用キャップ１００およびポリエチレン管用キャップセット１１０によれば、ポリエチレン管５０１，５０２の接続のための受け口および差し口のいずれにも密着固定し、繰り返し使用することができる。また、ポリエチレン管５０１，５０２の加工または切除を必要としない。
【００７３】
また、ポリエチレン管用キャップセット１１０の拡大部材４００を第１筒部２００の内周面２１０に収容した場合、弾性力で第１筒部２００の外周面２０１を大きくし、ポリエチレン管５０２の受け口に強固に密着させることができる。
【００７４】
本発明においては、ポリエチレン管用キャップ１００，１００ａが管端部用キャップに相当し、ポリエチレン管用キャップセット１１０が管端部用キャップセットに相当し、第１筒部２００の外周面２０１，２０１ａが第１の外周面に相当し、ポリエチレン管５０２の端部の受け口が配管の受け口部に相当し、第１筒部２００が第１円筒部に相当し、内周面３１０，３１０ａが第２の内周面に相当し、ポリエチレン管５０１の端部の差し口が配管の差し口部に相当し、第２筒部３００が第２円筒部に相当し、拡大部材４００，４００ａが拡大部材に相当し、内周面２１０，２１０ａが第３の形状に相当し、テーパ角θtaの面およびテーパ角θtbの面がテーパ形状に相当する。
【００７５】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００７６】
１００，１００ａ  ポリエチレン管用キャップ
１１０  ポリエチレン管用キャップセット
２００  第１筒部
２０１，２０１ａ  外周面
２１０，２１０ａ  内周面
３００  第２筒部
３１０，３１０ａ  内周面
４００，４００ａ  拡大部材
５０１  ポリエチレン管の差し口
５０２  ポリエチレン管の受け口
【図１】
2014016015.tif 000004
【図２】
2014016015.tif 000005
【図３】
2014016015.tif 000006
【図４】
2014016015.tif 000007
【図５】
2014016015.tif 000008
【図６】
2014016015.tif 000009
【図７】
2014016015.tif 000010
【図８】
2014016015.tif 000011